(57)【特許請求の範囲】
【請求項１】
内部に吸気通路（１０）が穿設されるスロットルボデー（Ｔ１、Ｔ２）が複数配置され、各吸気通路（１０）に配置される絞り弁（１２）より下流側の吸気通路（１０ｂ）に、弁体駆動機構（１）によって動作される弁体（３）にて制御されるアイドル空気が、絞り弁（１２）を迂回するバイパス空気通路（１６ａ、１６ｂ）を介して供給される多連スロットルボデーのアイドル空気制御装置において、
弁体駆動機構（１）の動作方向（Ｘ−Ｘ）における下端部に形成される弁体（３）の外周に、円筒状をなすプランジャー（５）を装着し、このプランジャー（５）により、弁体収納室（１３）の側壁に開口する複数のバイパス空気通路（１６ａ、１６ｂ）を開閉制御したことを特徴とする多連スロットルボデーにおけるアイドル空気制御装置。
【請求項２】
前記弁体（３）は、前記弁体駆動機構（１）に連なる軸部（３ａ）と、この軸部（３ａ）より大径をなし、上方に臨む第１係止段部（Ｐ１）を備える鍔部（３ｂ）と、この鍔部（３ｂ）から下方の制御弁部（３ｃ）に向かい下方に臨む第２係止段部（Ｐ２）と、により形成され、少なくとも軸部（３ａ）の外周に配置される円筒状のカラー（４）は、欠円形状をなし、その内方に鍔部（３ｂ）の第１係止段部（Ｐ１）に臨む第３係止段部（Ｐ３）が形成されるとともにその外方に、上方に臨む第４係止段部（Ｐ４）が形成され、又、前記プランジャー（５）には、弁体挿入孔（５ｂ）を有する底部（５ａ）が形成されるとともに、前記弁体挿入孔（５ｂ）から上方に向かう上方開口（５ｄ）と、前記弁体挿入孔（５ｂ）から下方に向かう下方開口（５ｆ）とが穿設され、前記上方開口（５ｄ）には、その上部にあって前記カラー（４）の第４係止段部（Ｐ４）に臨む第５係止段部（Ｐ５）が凹設されるとともに、その下部にあって前記弁体（３）の第２係止段部（Ｐ２）に臨む第６係止段部（Ｐ６）が形成され、前記カラー（４）を、前記軸部（３ａ）、前記鍔部（３ｂ）の外周に配置するとともに前記カラー（４）の第３係止段部（Ｐ３）と前記鍔部（３ｂ）の第１係止段部（Ｐ１）との間に環状弾性リング（６）を配置し、
一方、前記プランジャー（５）の上方開口（５ｄ）、弁体挿入孔（５ｂ）を、前記制御弁部（３ｃ）を介して上方に向けて挿入するとともに前記カラー（４）を内方に弾性変形させ、前記プランジャー（５）の第５係止段部（Ｐ５）を前記カラー（４）の第４係止段部（Ｐ４）に係止するとともに前記プランジャー（５）の第６係止段部（Ｐ６）を前記弁体（３）の第２係止段部（Ｐ２）に係止したことを特徴とする請求項１記載の多連スロットルボデーにおけるアイドル空気制御装置。
【請求項３】
前記カラー（４）は合成樹脂材料によって形成され、その内方に軸部（３ａ）の外周に臨む第１孔（４ａ）と、この第１孔（４ａ）の下端から外側方に向かう第３係止段部（Ｐ３）を介して下方に向かう第２孔（４ｂ）が連設され、その外方に上方に臨む第４係止段部（Ｐ４）が形成され、前記カラーを中心線（Ｙ−Ｙ）において、肉厚（Ｓ）をもって分断し、２個の欠円形状のカラー（４ｇ、４ｈ）としたことを特徴とする請求項２記載の多連スロットルボデーにおけるアイドル空気制御装置。
【請求項４】
前記プランジャー（５）を真鍮材料によって形成したことを特徴とする請求項２記載の多連スロットルボデーにおけるアイドル空気制御装置。
【発明の詳細な説明】
【技術分野】
【０００１】
本発明は、弁体駆動機構によって動作される弁体により制御されるアイドル空気が、絞り弁を迂回し、絞り弁より下流側の吸気通路にバイパス空気通路を介して供給されるアイドル空気制御装置に関し、そのうち特に、内部に吸気通路が貫通して穿設されるスロットルボデーが複数配置され、それぞれの吸気通路に向けて単一の弁体によって制御されるアイドル空気がそれぞれのバイパス空気通路を介して供給される多連スロットルボデーにおけるアイドル空気制御装置に関する。
【背景技術】
【０００２】
スロットルボデーにおけるアイドル空気制御装置の第１例は特開平１１−２０１００４号公報に示される。
これによると、スロットルボデーを貫通して吸気通路が穿設されるとともに吸気通路を開閉する絞り弁を迂回してバイパス空気通路が形成され、バイパス空気通路の下流側は、絞り弁より下流側の吸気通路に開口する。
又、バイパス空気通路内には弁座が形成され、この弁座は、弁座に対向配置され、テーパー状の制御弁部を備える弁体にて開閉制御されるもので、かかる弁体はステップモータ等の弁体駆動機構によって動作される。
而して、弁体が弁体駆動機構によって動作されると、弁体は弁体駆動機構のストロークに応じて変位して制御弁部が弁座の開口面積を制御するもので、この弁座の開口に応じたアイドル空気が絞り弁より下流側の吸気通路に供給されて機関のアイドル運転が行なわれる。かかる装置を、単一開口制御型のアイドル空気制御装置と呼ぶ。
【０００３】
又、スロットルボデーにおけるアイドル空気制御装置の第２例は、特開２００２−８９４１５号公報に示される。これによると、複数の吸気通路を備え、各吸気通路はそれぞれの絞り弁によって開閉される。一方、円筒状となす弁体収納室の側壁には、それぞれの絞り弁より下流側の吸気通路に連なる複数のバイパス空気通路が開口するもので、かかる開口は、弁体収納室内に移動自在に配置され、弁体駆動機構によって動作される円筒状の単一のプランジャーの外側壁によって開閉制御され、この開口に応じたアイドル空気が各バイパス空気通路を介して各吸気通路の絞り弁より下流側の吸気通路に供給されて機関のアイドル運転が行なわれる。かかる装置を、複数開口制御型のアイドル空気制御装置と呼ぶ。
【特許文献１】特開平１１−２０１００４号公報
【特許文献２】特開２００２−８９４１５号公報
【発明の開示】
【発明が解決しようとする課題】
【０００４】
かかる従来のアイドル空気制御装置において、単一開口制御型のアイドル空気制御装置（以下、単に単一開口型を呼ぶ）を複数開口制御型のアイドル空気制御装置（以下単に複数開口型と呼ぶ）に使用することがでない。
これは、単一開口型の弁座が、弁体駆動機構の動作方向に同芯に対向配置され、弁体の先端に設けた制御弁部が弁座に対向して配置され、一方、複数開口型の複数のバイパス空気通路は、弁体収納室の側壁（いいかえると弁体駆動機構の動作方向に直交する方向）に開口配置され、該開口が弁体収納室内に移動自在に配置されるプランジャーの外側壁によって開閉制御されるからである。すなわち弁体によって開閉制御される開口（単一開口型における弁座及び複数開口型におけるバイパス空気通路）位置が相互に異なることによる。上記によれば、単一のバイパス空気通路の開口を制御する際には、単一開口制御型のアイドル空気制御装置を用意し、複数のバイパス空気通路の開口を制御する際には、複数開口制御型のアイドル空気制御装置を用意する必要があり、アイドル空気制御装置を共通して使用することができず、製造コストを低減することができない。
【０００５】
本発明になる多連スロットルボデーにおける空気制御装置は、上記不具合に鑑み成されたもので、単一開口制御型のアイドル空気制御装置をそのまま流用し、これにわずかな構成を付加することにより複数開口制御型のアイドル空気制御装置としたもので、部品の共用化を図り、生産数を増加することにより安価なアイドル空気制御装置を提供することを目的とする。
【課題を解決するための手段】
【０００６】
前記目的達成の為に、本発明は、内部に吸気通路が穿設されるスロットルボデーが複数配置され、各吸気通路に配置される絞り弁より下流側の吸気通路に、弁体駆動機構によって動作される弁体にて制御されるアイドル空気が、絞り弁を迂回するバイパス空気通路を介して供給される多連スロットルボデーのアイドル空気制御装置において、
弁体駆動機構の動作方向における下端部に形成される弁体の外周に、円筒状をなすプランジャーを装着し、このプランジャーにより、弁体収納室の側壁に開口する複数のバイパス空気通路を開閉制御したことを第１の特徴とする。
【０００７】
又、本発明は、前記第１の特徴に加え、前記弁体は、前記弁体駆動機構に連なる軸部と、この軸部より大径をなし、上方に臨む第１係止段部を備える鍔部と、この鍔部から下方の制御弁部に向かい下方に臨む第２係止段部と、により形成され、少なくとも軸部の外周に配置される円筒状のカラーは、欠円形状をなし、その内方に鍔部の第１係止段部に臨む第３係止段部が形成されるとともにその外方に、上方に臨む第４係止段部が形成され、又、前記プランジャーには、弁体挿入孔を有する底部が形成されるとともに、前記弁体挿入孔から上方に向かう上方開口と、前記弁体挿入孔から下方に向かう下方開口とが穿設され、前記上方開口には、その上部にあって前記カラーの第４係止段部に臨む第５係止段部が凹設されるとともに、その下部にあって前記弁体の第２係止段部に臨む第６係止段部が形成され、前記カラーを、前記軸部、前記鍔部の外周に配置するとともに前記カラーの第３係止段部と前記鍔部の第１係止段部との間に環状弾性リングを配置し、
一方、前記プランジャーの上方開口、弁体挿入孔を、前記制御弁部を介して上方に向けて挿入するとともに前記カラーを内方に弾性変形させ、前記プランジャーの第５係止段部を前記カラーの第４係止段部に係止するとともに前記プランジャーの第６係止段部を前記弁体の第２係止段部に係止したことを第２の特徴とする。
【０００８】
更に、本発明は、前記第２の特徴に加え、カラーは合成樹脂材料によって形成され、その内方に軸部の外周に臨む第１孔と、第１孔の下端から外側方に向かう第３係止段部を介して下方に向かう第２孔が連設され、その外方に上方に臨む第４係止段部が形成され、前記カラーを中心線において、肉厚Ｓをもって分断し、２個の欠円形状のカラーとしたことを第３の特徴とする。
【０００９】
更に又、本発明は、前記第２の特徴に加え、前記プランジャーを真鍮材料によって形成したことを第４の特徴とする。
【発明の効果】
【００１０】
本発明の第１の特徴によると、第１には、弁体駆動機構の下端部に形成される弁体によって、弁体駆動機構の動作方向に形成される単一のバイパス空気通路の開口を開閉制御することができ、単一開口制御型のアイドル空気制御装置を提供できる。
又、第２には、前記弁体の外周に円筒状のプランジャーを装着することにより、弁体駆動機構の動作方向に直交する側であって円筒状の弁体収納室の側壁に開口する複数のバイパス空気通路の開口を開閉制御することができ、複数開口の制御型のアイドル空気制御装置を提供できる。
以上によれば、基本となる単一開口制御型のアイドル空気制御装置にプランジャーを付加することにより、複数開口制御型のアイドル空気制御装置として利用できるので、両装置において共用される単一開口制御型のアイドル空気制御装置を多量に生産することができ、この増量効果により安価なアイドル空気制御装置を提供できる。
【００１１】
又、本発明の第２の特徴によれば、極めて簡単な構成で且つ確実にプランジャーを弁体に装着できる。
すなわち、欠円形状をなす円筒形のカラーが弁体の軸部、鍔部の外周に装着され、カラーの第３係止段部と鍔部の第１係止段部との間に環状弾性リングが配置される。
かかる状態において、プランジャーの上方開口、弁体挿入孔が弁体に向けて上方に挿入されるもので、このときカラーは環状弾性リングの弾性力に抗して内方へ弾性変形し、これによってプランジャーの第５係止段部がカラーの第４係止段部に係止するとともにプランジャーの第６係止段部が弁体の第２係止段部に係止される。
以上によると、プランジャーは、弁体駆動機構の動作方向において、カラーを介して弁体に、確実に支持され、一方、プランジャーは、弁体の中心に対して環状弾性リング、カラーを介して確実にセンタリング支持される。
又、カラーを、環状弾性リングの弾性力に抗して内方へ弾性変形させることにより、カラーの第４係止段部とプランジャーの第５係止段部との係止を解除することができてプランジャーを弁体より取外すことができるので、プランジャーの仕様変更及びメンテナンスを極めて容易に行なうことができる。
【００１２】
更に本発明の第３の特徴によると、カラーは、その内方に第１孔、第３係止段部、第２孔が連設され、その外方に第４係止段部が形成される環状をなし、該カラーが中心線において肉厚をもって分断され、分離された２個の欠円形状のカラーとして形成される。
以上によれば、２個の欠円形状のカラーの開口部をそれぞれ軸部、鍔部に向けて配置することによりカラーを軸部、鍔部の外周に抵抗なく配置できたので、カラーの前記装着を極めて容易に且つ短時間に行なうことができる。又、それぞれの欠円形状のカラーの中心側の欠円端面は、中心線より肉厚の半分に相当して離れて形成されるので、軸部の外周にカラーが装着された際、前記肉厚の半分の幅に相当してカラーを内方に変形でき、プランジャーのカラーに対する装着性を大きく向上できる。
又、前記カラーが合成樹脂材料によって形成されたことによると、カラーの前記内方変形が容易で、且つ射出成型によってかかるカラーを製作することができ、材料費の低減とあいまってカラーを安価に製造できるとともにカラーの軽量化を達成できる。
【００１３】
更に又、本発明の第４の特徴によると、プランジャーが真鍮材料によって形成されるので、自動盤による加工が可能で且つ耐蝕性を向上するためのメッキ処理が不要となり、プランジャーの製造コストを低減できる。
【発明を実施するための最良の形態】
【００１４】
以下、本発明になる多連スロットルボデーにおけるアイドル空気制御装置の一実施例を図１により説明する。
１は、給電される制御信号によってねじ軸を回転させ、ねじ軸の回転が、出力軸２の軸心方向の動作方向に変換されて出力されるステッピングモータ、あるいはケースの内部に密閉封入されたワックス、オレフィン等の熱膨縮材料の、温度変化よる体積変化に応じて出力軸２を軸心方向の動作方向Ｘ−Ｘに変換出力するワックスエレメント、等の弁体駆動機構である。尚、出力軸２の動作方向Ｘ−Ｘは、弁体駆動機構１の動作方向といえる。
３は弁体であり、軸部３ａの上端は、出力軸２と同期的に弁体駆動機構１の動作方向Ｘ−Ｘにおいて移動できるよう、ネジ等の取着手段をもって出力軸２の下端に一体的に取着される。
軸部３ａの下端には、軸部３ａの径より大径をなす鍔部３ｂが形成されるもので、これによって鍔部３ｂの上端には図において上方に臨む第１係止段部Ｐ１が形成される。
又、鍔部３ｂより下方位置には、弁体駆動機構１の動作方向Ｘ−Ｘにおいて開口する弁座孔を開閉制御する制御弁部３ｃが形成されるもので、鍔部３ｂの下端には、前記制御弁部に連なり下方に臨む第２係止段部Ｐ２が形成される。
前記弁体における軸部３ａ、鍔部３ｂ、制御弁部３ｃは、弁体駆動機構１の動作方向Ｘ−Ｘにおいて同芯に形成される。
尚、前記制御弁部の形状は、テーパー状をなすが、先端面がフラット状を成してもよい。上記弁体３、弁体駆動機構１をもって単一開口制御型のアイドル空気制御装置が形成される。かかる単一開口制御型のアイドル空気制御装置の制御弁部３ｃは、弁体駆動機構１の動作方向Ｘ−Ｘにおいて開口するバイパス空気通路に設けた単一の弁座孔を開閉制御するもので、制御弁部３ｃによって制御されたアイドル空気がバイパス空気通路を介して絞り弁より下流側の吸気通路に供給される。（前記において、バイパス空気通路、弁座孔、等は図示されていない）
そして、複数開口制御型のアイドル空気制御装置は、前記単一開口制御型のアイドル空気制御装置にカラー、プランジャーの構成を付加することによって形成される。
図２、図３にはカラー４の第１例が示される。
カラー４は、合成樹脂材料によって形成されるとともに円筒状に形成され、その内方に軸部３ａの外径よりわずかに大径をなす第１孔４ａが上方の上端４ｃに向かって開口して形成され、第１孔４ａの下端から、側方に拡大し、下方に臨む第３係止段部Ｐ３を介して、下方の下端４ｄに向かう第２孔４ｂ（鍔部３ｂよりわずかに大径をなす）が開口して形成される。
又、その外方には上方に臨む第４係止段部Ｐ４が形成される。
更にカラー４の上端４ｃから下端４ｄに向けて、第１孔４ａ、第２孔４ｂ内に達する溝４ｅが穿設されるもので、これによると円筒状のカラー４は溝４ｅによって欠円形状に形成されることになる。溝４ｅの幅Ｗは軸部３ａの径より小径であることが好ましい。
【００１５】
次に図４により、プランジャー５について説明する。
プランジャー５は円筒形状に形成されるとともに真鍮材料によって形成される。
プランジャー５はその略中間部に底部５ａが形成され、この底部５ａには弁体３の下方に形成される制御弁部３ｃを挿入しうる弁体挿入孔５ｂが貫通して穿設され、又、弁体挿入孔５ｂの上端５ｂ１からプランジャー５の上端５ｃに向けて上方開口５ｄが穿設され、弁体挿入孔５ｂの下端５ｂ２からプランジャー５の下端５ｅに向けて下方開口５ｆが穿設される。すなわちプランジャー５の上端５ｃから下端５ｅに向けて、上方開口５ｄ、弁体挿入孔５ｂ、下方開口５ｆが連設される。
前記弁体挿入孔５ｂの孔形状は、制御弁部３ｃの外形状に合致することが好ましいもので、本例では下方に向かって縮径されるテーパー孔に形成された。
又、前記上方開口５ｄは、弁体３の鍔部３ｂの直径より大径に形成されるもので、その上端５ｃの近傍の上方開口５ｄには、カラー４の第４係止段部Ｐ４に係止される第５係止段部Ｐ５が凹設され、さらに上方開口５ｄの下部には、弁体３の第２係止段部Ｐ２に係止される第６係止段部Ｐ６が形成される。すなわち上方開口５ｄはその上端５ｃの近傍に第５係止段部Ｐ５が凹設され、第６係止段部Ｐ６は弁体挿入孔５ｂの上端５ｂ１に連設される。
【００１６】
そして前記プランジャー５はカラー４を介して弁体３に装着される。再び図１を用いて説明すると、まず、弁体３の第１係止段部Ｐ１上にゴム材料等によって形成されたＯリング、角リング等よりなる環状弾性リング６が配置される。
次に、カラー４を弁体３の軸部３ａ、鍔部３ｂの外周に向けて側方から挿入配置するもので、溝４ｅが拡大して弾性変形することにより前記挿入が行なわれる。
上記挿入によると、カラー４の第１孔４ａが軸３ａの外周に間隙をもって配置されるとともに第２孔４ｂが鍔部３ｂの外周に間隙をもって配置され、更にカラー４の第３係止段部Ｐ３が弁体３の第１係止段部Ｐ１に臨んで配置されるとともに第３係止段部Ｐ３と第１係止段部Ｐ１との間に前記環状弾性リング６が配置される。
以上によって、カラー４が弁体３の軸部３ａ、鍔部３ｂの外周に装着される。
【００１７】
次に、弁体３、及び弁体３に装着されたカラー４に向けてプランジャー５が装着される。
すなわち、プランジャー５の上方開口５ｄを、弁体３の下方より上方に向けて挿入する。これによると、プランジャー５の上方開口５ｄは、カラー４の外形部に当接した後に第４係止段部Ｐ４を、内方に弾性変形させて縮径し、第５係止段部Ｐ５がカラー４の第４係止段部Ｐ４を通過した後に第４係止段部Ｐ４が自己の有する弾性力にて原位置に復帰するもので、これによってプランジャー５の第５係止段部Ｐ５がカラー４の第４係止段部Ｐ４に係止される。
又、プランジャー５の第６係止段部Ｐ６は、弁体３の第２係止段部Ｐ２に当接して係止され、更に弁体挿入孔５ｂは制御弁部３ｃの上部３ｃ１に当接して配置される。（前記制御弁部３ｃの上部３ｃ１は弁座を直接的に開閉する機能を有しない）
上記によれば、プランジャー５の第６係止段部Ｐ６が弁体３の第２係止段部Ｐ２に係止され、プランジャー５の第５係止段部Ｐ５がカラー４の第４係止段部Ｐ４に係止され、カラー４の第３係止段部Ｐ３が環状弾性リング６を介して弁体３の第１係止段部Ｐ１に係止されるもので、プランジャー５は弁体駆動機構１の動作方向Ｘ−Ｘにおいて弁体３に一体的に取着される。
このとき、カラー４の第３係止段部Ｐ３と弁体３の第１係止段部Ｐ１との間に環状弾性リング６が配置されたのでプランジャー５は、動作方向Ｘ−Ｘにおいて弁体３に対してガタツクことなく確実に取着できる。
又、プランジャー５は弁体挿入孔５ｂが弁体３の制御弁部３ｃの上部３ｃ１に当接配置されたこと、及び上方開口５ｄがカラー４の外周、弾性環状リング６を介して軸部３ａに支持されたこと、によりプランジャー５は弁体３に対してガタツクことなく確実にセンタリング配置される。
【００１８】
以上によって弁体３にプランジャー５が装着されるもので、これによって単一開口制御型のアイドル空気制御装置を複数開口制御型のアイドル空気制御装置へと変換できた。
そして、かかる複数開口制御型のアイドル空気制御装置により、複数のバイパス空気通路の開口を制御できる。
図５により具体的に説明すると、Ｔ１は第１のスロットルボデーであって上下方向に吸気通路１０が貫通して穿設され、該吸気通路は絞り弁軸１１に取着された絞り弁１２によって開閉される。
又、Ｔ２は第２スロットルボデーであって上下方向に吸気通路１０が貫通して穿設され、該吸気通路は絞り弁軸１１に取着された絞り弁１２によって開閉される。
そして、前記第１、第２のスロットルボデーＴ１、Ｔ２が側方に隣設して配置され、両絞り弁１２、１２は運転者によって同期的に開閉される。
１３は、隣設する第１、第２のスロットルボデーＴ１、Ｔ２との間に形成された円筒状をなす弁体収納室であり、弁体収納室１３の上部開口より前記、複数開口制御型のアイドル空気制御装置が配置される。すなわち弁体３の外周に装着されたプランジャー５が弁体収納室１３内に摺動自在に配置される。
一方、弁体収納室１３の下方底部には、バイパス空気室１４が開口して連設されるもので、このバイパス空気室１４には絞り弁１２より上流側の吸気通路１０ａに連なる空気流路１５が開口する。
又、弁体収納室１３の側壁には、第１バイパス空気通路１６ａと第２バイパス空気通路１６ｂとが開口するもので、第１バイパス空気通路１６ａの下流は、第１スロットルボデーＴ１の絞り弁１２より下流側の吸気通路１０ｂに開口し、第２バイパス空気通路１６ｂの下流は、第２スロットルボデーＴ２の絞り弁１２より下流側の吸気通路１０ｂに開口して連絡される。
而して、弁体駆動機構１の出力軸２が動作し、この出力軸２の動作と同期して弁体収納室１３内の弁体３がその動作方向Ｘ−Ｘに沿って移動すると、弁体収納室１３内に開口する第１、第２バイパス空気通路１６ａ、１６ｂの開口はプランジャー５の外周によって制御されるもので、これによるとバイパス空気室１４内の空気は、前記開口によってその量が制御され、開口に応じたアイドル空気が、第１バイパス空気通路１６ａを介して第１のスロットルボデーＴ１の絞り弁１２より下流側の吸気通路１０ｂに供給されるとともに第２バイパス空気通路１６ｂを介して第２のスロットルボデーＴ２の絞り弁１２より下流側の吸気通路１０ｂに供給され、もって機関の最適なアイドリング運転を行なうことができる。
【００１９】
以上の如く、本発明によるアイドル空気制御装置によれば、単一開口制御型のアイドル空気制御装置の下端部に形成される弁体３の外周に円筒状よりなるプランジャー５を装着することにより多連スロットルボデーに用いられる複数開口制御型のアイドル空気制御装置を得ることができたもので、単一開口制御型のアイドル空気制御装置を、単一開口制御型及び複数開口制御型のアイドル空気制御装置においてそのまま共用でき、これによる増量効果により安価なアイドル空気制御装置を提供できる。
【００２０】
又、プランジャー５を弁体３に装着する際、欠円形状をなす円筒状のカラー４と環状弾性リング６とが用意される。
そして、カラー４を欠円部をなす溝４ｅを拡開することにより弁体３の軸部３ａ、鍔部３ｂの外周に配置するとともにカラー４の第３係止段部Ｐ３を鍔部３ｂの第１係止段部Ｐ１との間に環状弾性リング６が配置される。
又、プランジャー５の上方開口５ｄ及び弁体挿入孔５ｂを、弁体３の制御弁部３ｃを介して上方へ挿入するとともにカラー４を内方へ弾性変形させ、これによってプランジャー５の第５係止段部Ｐ５をカラー４の第４係止段部Ｐ４に係止し、更にプランジャー５の第６係止段部Ｐ６を弁体３の第２係止段部Ｐ２に係止する。
以上によると、プランジャー５の第６係止段部Ｐ６が弁体３の第２係止段部Ｐ２に係止され、プランジャー５の第５係止段部Ｐ５が、カラー４の第４係止段部Ｐ４、第３係止段部Ｐ３、環状弾性リング６、弁体３の第１係止段部Ｐ１に係止されるので、弁体駆動機構１の動作方向Ｘ−Ｘにおいてプランジャー５を弁体３に確実に取着できる。
そして、このとき、カラーの第３係止段部Ｐ３と弁体３の第１係止段部Ｐ１との間に環状弾性リング６が配置されたことにより、前記動作方向Ｘ−Ｘにおけるプランジャー５と弁体３とのガタツキを抑止できる。
又、プランジャー５の弁体挿入孔５ｂが弁体３の制御弁部３ｃの上部３ｃ１に当接配置されるとともにカラー４の外周に、プランジャー５の上方開口５ｄが当接配置され、更にカラー４と軸部３ａとの間に環状弾性リング６が配置されるので、プランジャー５をガタツキなく正確に弁体３に対してセンタリング配置できる。
又、プランジャー５は、カラー４を内方に向けて弾性変形させることにより、カラー４の第４係止段部Ｐ４とプランジャー５の第５係止段部Ｐ５との係止を解除でき、プランジャー５を弁体３より取外すことができる。
【００２１】
次に図６、図７によりカラーの他の実施例について説明する。
本実施例は、図２、図３に示されるカラー４の溝４ｅを廃止して環状のカラーを形成し、次いでその中心線Ｙ−Ｙにおいて肉厚Ｓをもって分断し、欠円端面４ｆを有する２個の半円形状をなすカラー４ｇ、４ｈとしたものである。尚、前記２個のカラー４ｇ、４ｈは環状のカラーを分断することなく、射出成型によって１個形成し、それを対向して使用すればよい。
上記２個のカラー４ｇ、４ｈは、弁体３の軸部３ａ、鍔部３ｂに向けて側方より配置されるとともに第３係止段部Ｐ３が鍔部３ｂの第１係止段部Ｐ１上に配置される環状弾性リング６に当接して配置される。
そして、プランジャー５の上方開口５ｄがカラー４ｇ、４ｈの外周に向けて上方へ挿入配置されるもので、このときカラー４ｇ、４ｈは肉厚Ｓの半分に相当して内方へ全体的に移動したのちに再び原位置に復帰することにより、カラー４ｇ、４ｈの各第４係止段部Ｐ４とプランジャー５の第５係止段部Ｐ５とが係止される。
以上によれば、特にカラー４ｇ、４ｈが軸部３ａ、鍔部３ｂに向けて側方より配置されるので、カラー４ｇ、４ｈの弁体３に対する装着作業を容易に行なうことができるとともにカラー４ｇ、４ｈを全体的に内方へ移動できるのでプランジャー５の装着性を向上できる。
【００２２】
更にプランジャー５を真鍮材料によって形成したことによると、自動盤等によりプランジャー５を高精度に加工形成できるとともにメッキ処理が不要となったものである。
【産業上の利用可能性】
【００２３】
本アイドル空気制御装置は、気化器において始動用混合気を絞り弁より下流側の吸気通路に供給するバイスタータ装置の始動混合気制御装置としても使用できる。
【図面の簡単な説明】
【００２４】
【図１】本発明になる多連スロットルボデーにおけるアイドル空気制御装置の一実施例を示す要部縦断面図。
【図２】図１において用いられるカラーの上部平面図。
【図３】図２のＢ−Ｂ線における縦断面図。
【図４】図１において用いられるプランジャーの縦断面図。
【図５】本発明になるアイドル空気制御装置が多連スロットルボデーに組付けられた状態を示す要部縦断面図。
【図６】本発明になるアイドル空気制御装置に用いられるカラーの他の実施例を示す上部平面図。
【図７】図６のＣ−Ｃ線における側面図。
【符号の説明】
【００２５】
Ｔ１、Ｔ２    スロットルボデー
Ｘ−Ｘ  弁体駆動機構の動作方向
１      弁体駆動機構
３      弁体
３ａ    軸部
３ｂ    鍔部
３ｃ    制御弁部
４      カラー
５      プランジャー
５ａ    底部
５ｂ    弁体挿入孔
５ｄ    上方開口
５ｆ    下方開口
６      環状弾性リング
１０    吸気通路
１０ｂ  下流側の吸気通路
１２    絞り弁
１６ａ、１６ｂ    バイパス空気通路
Ｐ１    第１係止段部
Ｐ２    第２係止段部
Ｐ３    第３係止段部
Ｐ４    第４係止段部
Ｐ５    第５係止段部
Ｐ６    第６係止段部
【図１】
0004546374.tif 000002
【図２】
0004546374.tif 000003
【図３】
0004546374.tif 000004
【図４】
0004546374.tif 000005
【図５】
0004546374.tif 000006
【図６】
0004546374.tif 000007
【図７】
0004546374.tif 000008